(57)【要約】【課題】インクを吐出した際に各部位での色むら、濃度むらを確実に抑制することができる液滴吐出装置およびカラーフィルタの製造方法を提供すること、各部位での色むら、濃度むらが抑制されたカラーフィルタを提供すること、また、該カラーフィルタを備えた画像表示装置、電子機器を提供すること。【解決手段】液滴吐出装置は、インクを吐出する液滴吐出ヘッドと、インクの粘度の経時変化を示す検量線を予め記憶する記憶手段と、予め設定された基準時からの経過時間を求め、その経過時間と粘度情報とに基づいて、現在のインクの粘度を推定する粘度推定手段と、液滴吐出ヘッドから吐出されるインクの液滴の吐出量を調整するインク吐出量調整手段とを備え、粘度推定手段によるインクの粘度の推定結果に基づいて、インク吐出量調整手段が作動して吐出量を調整することにより、インクの粘度変化による吐出量の誤差を少なくするよう構成した。【選択図】図９
2009128833.tif 000002
【特許請求の範囲】
【請求項１】
多数個のセルが設けられた基板上の前記各セルに、インクジェット方式でインクを吐出する液滴吐出装置であって、
前記インクを吐出するノズルを有する液滴吐出ヘッドと、
前記インクの粘度の経時変化に関する粘度情報を予め記憶する記憶手段と、
予め設定された基準時からの経過時間を求め、該求められた経過時間と前記粘度情報とに基づいて、現在の前記インクの粘度を推定する粘度推定手段と、
前記ノズルから吐出される前記インクの液滴の吐出量を調整するインク吐出量調整手段とを備え、
前記粘度推定手段による前記インクの粘度の推定結果に基づいて、前記インク吐出量調整手段が作動して前記吐出量を調整することにより、前記インクの粘度変化による前記吐出量の誤差を少なくするよう構成したことを特徴とする液滴吐出装置。
【請求項２】
前記粘度情報は、前記インクの粘度の経時変化を示す検量線である請求項１に記載の液滴吐出装置。
【請求項３】
前記検量線は、前記液滴吐出装置が使用される環境の温度に応じて複数作成されており、該複数の検量線の中から選択して用いられる請求項２に記載の液滴吐出装置。
【請求項４】
前記検量線は、前記インクの色毎にそれぞれ作成されている請求項２または３に記載の液滴吐出装置。
【請求項５】
前記基準時は、前記インクが製造された時間またはそれに関連した時間であり、該時間に関する時間情報を入力する入力手段を備える請求項１ないし４のいずれかに記載の液滴吐出装置。
【請求項６】
前記液滴吐出ヘッドのヘッド温度を検出するヘッド温度検出手段と、前記液滴吐出装置が使用される環境の環境温度を検出する環境温度検出手段とを備え、
前記インク吐出量調整手段は、前記ヘッド温度検出手段により検出された前記ヘッド温度と、前記環境温度検出手段により検出された前記環境温度との乖離の度合いに基づいて、前記吐出量を補正する機能を有する請求項１ないし５のいずれかに記載の液滴吐出装置。
【請求項７】
前記インク吐出量調整手段は、前記乖離の度合いが許容範囲から外れているか否かを判断し、前記乖離の度合いが許容範囲から外れている場合には、前記吐出量を補正するよう構成されている請求項６に記載の液滴吐出装置。
【請求項８】
前記液滴吐出ヘッドは、前記ノズルに連通するキャビティと、該キャビティに臨むように設置され、電圧の印加により駆動する駆動素子とを有し、前記駆動素子に対し電圧を印加することにより前記キャビティ内の容積が変化して、前記ノズルから前記インクが吐出されるよう構成されており、
前記インク吐出量調整手段は、前記駆動素子に対し印加する電圧を調整する電圧調整部を有し、該電圧調整部により前記電圧を調整して、前記吐出量を調整する請求項１ないし７のいずれかに記載の液滴吐出装置。
【請求項９】
多数個のセルが設けられた基板上の前記各セルに、インクジェット方式でインクを吐出する液滴吐出装置を用いてカラーフィルタを製造する方法であって、
前記液滴吐出装置は、
前記インクを吐出するノズルを有する液滴吐出ヘッドと、
前記インクの粘度の経時変化に関する粘度情報を予め記憶する記憶手段と、
予め設定された基準時からの経過時間を求め、該求められた経過時間と前記粘度情報とに基づいて、現在の前記インクの粘度を推定する粘度推定手段と、
前記ノズルから吐出される前記インクの液滴の吐出量を調整するインク吐出量調整手段とを備え、
前記粘度推定手段による前記インクの粘度の推定結果に基づいて、前記インク吐出量調整手段が作動して前記吐出量を調整することにより、前記インクの粘度変化による前記吐出量の誤差を少なくするよう構成したことを特徴とするカラーフィルタの製造方法。
【請求項１０】
多数個のセルが設けられた基板上の前記各セルに、インクジェット方式でインクを吐出してカラーフィルタを製造する方法であって、
前記インクの粘度を推定し、その推定結果に基づいて、前記インクの吐出量を調整することにより、前記インクの粘度変化による前記吐出量の誤差を少なくするよう構成したことを特徴とするカラーフィルタの製造方法。
【請求項１１】
請求項９または１０に記載のカラーフィルタの製造方法により製造されたことを特徴とするカラーフィルタ。
【請求項１２】
請求項１１に記載のカラーフィルタを備えたことを特徴とする画像表示装置。
【請求項１３】
画像表示装置は、液晶パネルである請求項１２に記載の画像表示装置。
【請求項１４】
請求項１２または１３に記載の画像表示装置を備えたことを特徴とする電子機器。
【発明の詳細な説明】
【技術分野】
【０００１】
本発明は、液滴吐出装置、カラーフィルタの製造方法、カラーフィルタ、画像表示装置および電子機器に関する。
【背景技術】
【０００２】
カラー表示を行う液晶表示装置（ＬＣＤ）等には、一般に、カラーフィルタが用いられている。
カラーフィルタは、従来、着色剤、感光性樹脂、官能性モノマー、重合開始剤等を含む材料（着色層形成用組成物）で構成された塗膜を基板上に形成し、その後、フォトマスクを介して光を照射する感光処理、現像処理等を行う、いわゆるフォトリソグラフィー法を用いて製造されてきた。このような方法では、通常、基板のほぼ全面に、各色に対応する塗膜を形成し、その一部のみを硬化させ、それ以外の大部分を除去するという操作を繰り返すことにより、各色が重なり合わないようにカラーフィルタを製造する。このため、カラーフィルタの製造において形成される塗膜は、最終的に得られるカラーフィルタには、その一部のみが着色層として残存するのみで、その大部分が製造工程において除去されることとなる。このため、カラーフィルタの製造コストが上昇するばかりでなく、省資源の観点からも好ましくない。
【０００３】
一方、近年、インクジェットヘッド（液滴吐出ヘッド）を用いて、カラーフィルタの着色層を形成する方法が提案されている（例えば、特許文献１参照）。このような方法は、着色層形成用の材料（着色層形成用組成物）の液滴（インク滴）の吐出位置等の制御が容易で、着色層形成用組成物の無駄を少なくすることができるため、環境への負荷を低減することができ、また、製造コストも抑制することができる。
【０００４】
しかしながら、インクは、その粘度が経時的に変化する（一般的には増加する傾向にある）ため、特許文献１に記載のインクジェットヘッドを用いたカラーフィルタの製造方法では、インクジェットヘッドのノズルからの液滴の吐出量が不安定化する（一定とならない）という問題を生じることがあった。このような問題が生じると、着色部となる各セルに対する液滴の吐出回数が同一であっても、各セルにそれぞれ供給されたインクの総供給量が異なる。カラーフィルタでは、同一色の着色部においては、本来同一の着色濃度であることが求められるが、前述したように各セルおけるそれぞれのインクの総供給量が異なるため、各着色部の間での着色濃度のばらつきが発生してしまう。その結果、カラーフィルタの各部位での色むら、濃度むら等が発生してしまったり、多数のカラーフィルタ間での特性（特に、コントラスト比、色再現域等の色特性）にばらつきを生じ、カラーフィルタの信頼性は低いものとなってしまう。
【０００５】
【特許文献１】特開２００２−３７２６１３号公報
【発明の開示】
【発明が解決しようとする課題】
【０００６】
本発明の目的は、インクを吐出した際に各部位での色むら、濃度むらを確実に抑制することができる液滴吐出装置およびカラーフィルタの製造方法を提供すること、各部位での色むら、濃度むらが抑制されたカラーフィルタを提供すること、また、該カラーフィルタを備えた画像表示装置、電子機器を提供することにある。
【課題を解決するための手段】
【０００７】
このような目的は、下記の本発明により達成される。
本発明の液滴吐出装置は、多数個のセルが設けられた基板上の前記各セルに、インクジェット方式でインクを吐出する液滴吐出装置であって、
前記インクを吐出するノズルを有する液滴吐出ヘッドと、
前記インクの粘度の経時変化に関する粘度情報を予め記憶する記憶手段と、
予め設定された基準時からの経過時間を求め、該求められた経過時間と前記粘度情報とに基づいて、現在の前記インクの粘度を推定する粘度推定手段と、
前記ノズルから吐出される前記インクの液滴の吐出量を調整するインク吐出量調整手段とを備え、
前記粘度推定手段による前記インクの粘度の推定結果に基づいて、前記インク吐出量調整手段が作動して前記吐出量を調整することにより、前記インクの粘度変化による前記吐出量の誤差を少なくするよう構成したことを特徴とする。
これにより、インクを吐出した際に各部位での色むら、濃度むらを確実に抑制することができる。
【０００８】
本発明の液滴吐出装置では、前記粘度情報は、前記インクの粘度の経時変化を示す検量線であることが好ましい。
これにより、所定の時間におけるインクの粘度を確実に求めることができる。
本発明の液滴吐出装置では、前記検量線は、前記液滴吐出装置が使用される環境の温度に応じて複数作成されており、該複数の検量線の中から選択して用いられることが好ましい。
これにより、環境温度に応じて所定の時間におけるインクの粘度を確実に求めることができる。
【０００９】
本発明の液滴吐出装置では、前記検量線は、前記インクの色毎にそれぞれ作成されていることが好ましい。
これにより、インクの色毎に所定の時間における当該インクの粘度を確実に求めることができる。
本発明の液滴吐出装置では、前記基準時は、前記インクが製造された時間またはそれに関連した時間であり、該時間に関する時間情報を入力する入力手段を備えることが好ましい。
これにより、経過時間を確実に求めることができる。
【００１０】
本発明の液滴吐出装置では、前記液滴吐出ヘッドのヘッド温度を検出するヘッド温度検出手段と、前記液滴吐出装置が使用される環境の環境温度を検出する環境温度検出手段とを備え、
前記インク吐出量調整手段は、前記ヘッド温度検出手段により検出された前記ヘッド温度と、前記環境温度検出手段により検出された前記環境温度との乖離の度合いに基づいて、前記吐出量を補正する機能を有することが好ましい。
これにより、インクを吐出した際に各部位での色むら、濃度むらをより確実に抑制することができる。
【００１１】
本発明の液滴吐出装置では、前記インク吐出量調整手段は、前記乖離の度合いが許容範囲から外れているか否かを判断し、前記乖離の度合いが許容範囲から外れている場合には、前記吐出量を補正するよう構成されていることが好ましい。
これにより、インクを吐出した際に各部位での色むら、濃度むらをより確実に抑制することができる。
【００１２】
本発明の液滴吐出装置では、前記液滴吐出ヘッドは、前記ノズルに連通するキャビティと、該キャビティに臨むように設置され、電圧の印加により駆動する駆動素子とを有し、前記駆動素子に対し電圧を印加することにより前記キャビティ内の容積が変化して、前記ノズルから前記インクが吐出されるよう構成されており、
前記インク吐出量調整手段は、前記駆動素子に対し印加する電圧を調整する電圧調整部を有し、該電圧調整部により前記電圧を調整して、前記吐出量を調整することが好ましい。
これにより、簡単な構成でインクの吐出量の調整を行なうことができる。
【００１３】
本発明のカラーフィルタの製造方法は、多数個のセルが設けられた基板上の前記各セルに、インクジェット方式でインクを吐出する液滴吐出装置を用いてカラーフィルタを製造する方法であって、
前記液滴吐出装置は、
前記インクを吐出するノズルを有する液滴吐出ヘッドと、
前記インクの粘度の経時変化に関する粘度情報を予め記憶する記憶手段と、
予め設定された基準時からの経過時間を求め、該求められた経過時間と前記粘度情報とに基づいて、現在の前記インクの粘度を推定する粘度推定手段と、
前記ノズルから吐出される前記インクの液滴の吐出量を調整するインク吐出量調整手段とを備え、
前記粘度推定手段による前記インクの粘度の推定結果に基づいて、前記インク吐出量調整手段が作動して前記吐出量を調整することにより、前記インクの粘度変化による前記吐出量の誤差を少なくするよう構成したことを特徴とする。
これにより、インクを吐出した際に各部位での色むら、濃度むらを確実に抑制することができる。
【００１４】
本発明のカラーフィルタの製造方法は、多数個のセルが設けられた基板上の前記各セルに、インクジェット方式でインクを吐出してカラーフィルタを製造する方法であって、
前記インクの粘度を推定し、その推定結果に基づいて、前記インクの吐出量を調整することにより、前記インクの粘度変化による前記吐出量の誤差を少なくするよう構成したことを特徴とする。
これにより、インクを吐出した際に各部位での色むら、濃度むらを確実に抑制することができる。
【００１５】
本発明のカラーフィルタは、本発明のカラーフィルタの製造方法により製造されたことを特徴とする。
これにより、各部位での色むら、濃度むらが抑制されたカラーフィルタを得る。
本発明の画像表示装置は、本発明にカラーフィルタを備えたことを特徴とする。
これにより、表示部の各部位での色むら、濃度むらが抑制された画像表示装置を提供することができる。
【００１６】
本発明の画像表示装置は、液晶パネルであることが好ましい。
これにより、表示部の各部位での色むら、濃度むらが抑制された画像表示装置を提供することができる。
本発明の電子機器は、本発明の画像表示装置を備えたことを特徴とする。
これにより、表示部の各部位での色むら、濃度むらが抑制された電子機器を提供することができる。
【発明を実施するための最良の形態】
【００１７】
以下、本発明の液滴吐出装置、カラーフィルタの製造方法、カラーフィルタ、画像表示装置および電子機器を添付図面に示す好適な実施形態に基づいて詳細に説明する。
《カラーフィルタ用インク》
以下説明するカラーフィルタ用インク２は、本発明の液滴吐出装置、カラーフィルタの製造方法、すなわち、カラーフィルタの製造（カラーフィルタの着色部の形成）に用いられるインクであり、特に、インクジェット方式によるカラーフィルタの製造に用いられるものである。
カラーフィルタ用インク２は、着色剤、当該着色剤が溶解および／または分散する液性媒体、樹脂材料等を含むものである。
【００１８】
＜着色剤＞
カラーフィルタ１は、通常、異なる複数色の着色部（一般に、ＲＧＢに対応する３色の着色）を有している。着色剤は、通常、形成すべき着色部の色調に応じて選択される。カラーフィルタ用インク２を構成する着色剤としては、例えば、各種顔料、各種染料を用いることができる。
【００１９】
顔料としては、例えば、Ｃ．Ｉ．ピグメントレッド２，３，５，１７，２２，２３，３８，８１，４８：１，４８：２，４８：３，４８：４，４９：１，５２：１，５３：１，５７：１，６３：１，１１２，１２２，１４４，１４６，１４９，１６６，１７０，１７６，１７７，１７８，１７９，１８５，２０２，２０７，２０９，２５４，１０１，１０２，１０５，１０６，１０８，１０８：１、Ｃ．Ｉ．ピグメントグリーン７，３６，１５，１７，１８，１９，２６，５０、Ｃ．Ｉ．ピグメントブルー１，１５，１５：１，１５：２，１５：３，１５：４，１５：６，１７：１，１８，６０，２７，２８，２９，３５，３６，８０、Ｃ．Ｉ．ピグメントイエロー１，３，１２，１３，１４，１７，５５，７３，７４，８１，８３，９３，９４，９５，９７，１０８，１０９，１１０，１２９，１３８，１３９，１５０，１５１，１５３，１５４，１６８，１８４，１８５，３４，３５，３５：１，３７，３７：１，４２，４３，５３，１５７、Ｃ．Ｉ．ピグメントバイオレット１，３，１９，２３，５０，１４，１６、Ｃ．Ｉ．ピグメントオレンジ５，１３，１６，３６，４３，２０，２０：１，１０４、Ｃ．Ｉ．ピグメントブラウン２５，７，１１，３３等が挙げられる。
【００２０】
また、染料としては、例えば、アゾ染料、アントラキノン染料、縮合多環芳香族カルボニル染料、インジゴイド染料、カルボニウム染料、フタロシアニン染料、メチン，ポリメチン染料等が挙げられる。染料の具体例としては、例えば、Ｃ．Ｉ．ダイレクトレッド２，４，９，２３，２６，２８，３１，３９，６２，６３，７２，７５，７６，７９，８０，８１，８３，８４，８９，９２，９５，１１１，１７３，１８４，２０７，２１１，２１２，２１４，２１８，２２１，２２３，２２４，２２５，２２６，２２７，２３２，２３３，２４０，２４１，２４２，２４３，２４７、Ｃ．Ｉ．アシッドレッド３５，４２，５１，５２，５７，６２，８０，８２，１１１，１１４，１１８，１１９，１２７，１２８，１３１，１４３，１４５，１５１，１５４，１５７，１５８，２１１，２４９，２５４，２５７，２６１，２６３，２６６，２８９，２９９，３０１，３０５，３１９，３３６，３３７，３６１，３９６，３９７、Ｃ．Ｉ．リアクティブレッド３，１３，１７，１９，２１，２２，２３，２４，２９，３５，３７，４０，４１，４３，４５，４９，５５、Ｃ．Ｉ．ベーシックレッド１２，１３，１４，１５，１８，２２，２３，２４，２５，２７，２９，３５，３６，３８，３９，４５，４６、Ｃ．Ｉ．ダイレクトバイオレット７，９，４７，４８，５１，６６，９０，９３，９４，９５，９８，１００，１０１、Ｃ．Ｉ．アシッドバイオレット５，９，１１，３４，４３，４７，４８，５１，７５，９０，１０３，１２６、Ｃ．Ｉ．リアクティブバイオレット１，３，４，５，６，７，８，９，１６，１７，２２，２３，２４，２６，２７，３３，３４、Ｃ．Ｉ．ベーシックバイオレット１，２，３，７，１０，１５，１６，２０，２１，２５，２７，２８，３５，３７，３９，４０，４８、Ｃ．Ｉ．ダイレクトイエロー８，９，１１，１２，２７，２８，２９，３３，３５，３９，４１，４４，５０，５３，５８，５９，６８，８７，９３，９５，９６，９８，１００，１０６，１０８，１０９，１１０，１３０，１４２，１４４，１６１，１６３、Ｃ．Ｉ．アシッドイエロー１７，１９，２３，２５，３９，４０，４２，４４，４９，５０，６１，６４，７６，７９，１１０，１２７，１３５，１４３，１５１，１５９，１６９，１７４，１９０，１９５，１９６，１９７，１９９，２１８，２１９，２２２，２２７、Ｃ．Ｉ．リアクティブイエロー２，３，１３，１４，１５，１７，１８，２３，２４，２５，２６，２７，２９，３５，３７，４１，４２、Ｃ．Ｉ．ベーシックイエロー１，２，４，１１，１３，１４，１５，１９，２１，２３，２４，２５，２８，２９，３２，３６，３９，４０、Ｃ．Ｉ．アシッドグリーン１６、Ｃ．Ｉ．アシッドブルー９，４５，８０，８３，９０，１８５、Ｃ．Ｉ．ベーシックオレンジ２１，２３等が挙げられる。
【００２１】
また、着色剤としては、上記のような材料で構成された粉末に、例えば、親液化処理（後述する液性媒体に対する親和性を向上させる処理）等の表面処理を施したものを用いてもよい。これにより、例えば、カラーフィルタ用インク２中における着色剤粒子の分散性、分散安定性を特に優れたものとすることができる。着色剤に対する表面処理としては、例えば、着色剤粒子表面をポリマーで改質する処理等が挙げられる。着色剤の粒子表面を改質するポリマーとしては、例えば、特開平８−２５９８７６号公報等に記載されたポリマーや、市販の各種の顔料分散用のポリマーまたはオリゴマー等が挙げられる。
また、着色剤としては、例えば、上記から選択される２種以上の成分を組み合わせて用いてもよい。
【００２２】
カラーフィルタ用インク２中において、着色剤は、後述する液性媒体に溶解しているものであってもよいし、分散しているものであってもよいが、着色剤が液性媒体中に分散しているものである場合、着色剤の平均粒径は、２０〜２００ｎｍであるのが好ましく、５〜９０ｎｍであるのがより好ましい。これにより、カラーフィルタ用インク２を用いて製造されるカラーフィルタの耐光性を十分に優れたものとしつつ、カラーフィルタ用インク２中における着色剤の分散安定性や、カラーフィルタ１における発色性等を特に優れたものとすることができる。
【００２３】
カラーフィルタ用インク２中における着色剤の含有率は、２〜２０ｗｔ％であるのが好ましく、３〜１５ｗｔ％であるのがより好ましい。着色剤の含有率が前記範囲内の値であると、カラーフィルタ１用の液滴吐出ヘッド（インクジェットヘッド）１１４からの吐出性（吐出安定性）を特に優れたものとしつつ、製造されるカラーフィルタ１の耐久性を優れたものとすることができる。また、製造されるカラーフィルタ１において、十分な色濃度を確保することができる。
【００２４】
＜液性媒体＞
液性媒体（液状媒質）は、上述したような着色剤を、溶解および／または分散する機能を有するものである。すなわち、液性媒体は、溶媒および／または分散媒として機能するものである。そして、通常、液性媒体は、カラーフィルタ１を製造する過程において、その大部分が除去されるものである。
【００２５】
カラーフィルタ用インク２を構成する液性媒体としては、例えば、エステル化合物、エーテル化合物、ヒドロキシケトン、炭酸ジエステル、環状アミド化合物等を用いることができ、中でも、（１）多価アルコール（例えば、エチレングリコール、プロピレングリコール、ブチレングリコール、グリセリン等）の縮合物としてのエーテル（多価アルコールエーテル）や、多価アルコールまたは多価アルコールエーテルのアルキルエーテル（例えば、メチルエーテル、エチルエーテル、ブチルエーテル、ヘキシルエーテル等）、エステル（例えば、ホルメート、アセテート、プロピオネート等）、（２）多価カルボン酸（例えば、こはく酸、グルタル酸等）のエステル（例えば、メチルエステル等）、（３）分子内に少なくとも１つの水酸基と少なくとも１つのカルボキシル基とを有する化合物（ヒドロキシ酸）のエーテル、エステル等、（４）多価アルコールとホスゲンとの反応で得られるような化学構造を有する炭酸ジエステルが好ましい。液性媒体として用いることのできる化合物としては、例えば、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、４−メチル−１，３−ジオキソラン−２−オン、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテル、１，６−ジアセトキシヘキサン、トリプロピレングリコールモノメチルエーテル、ブトキシプロパノール、ジプロピレングリコールジメチルエーテル、ジエチレングリコールジメチルエーテル、３−エトキシプロピオン酸エチル、ジエチレングリコールエチルメチルエーテル、３−メトキシブチルアセテート、ジエチレングリコールジエチルエーテル、オクタン酸エチル、エチレングリコールモノブチルエーテルアセテート、酢酸シクロヘキシル、こはく酸ジエチル、エチレングリコールジアセテート、プロピレングリコールジアセテート、４−ヒドロキシ−４−メチル−２−ペンタノン、こはく酸ジメチル、１−ブトキシ−２−プロパノール、ジエチレングリコールモノエチルエーテル、ジエチレングリコールモノメチルエーテル、ジプロピレングリコールモノメチルエーテル、３−メトキシ−ｎ−ブチルアセテート、ジアセチン、ジプロピレングリコールｎ−プロピルエーテル、ポリエチレングリコールモノメチルエーテル、ブチルグリコレート、エチレングリコールモノヘキシルエーテル、ジプロピレングリコールｎ−ブチルエーテル、Ｎ−メチル−２−ピロリドン、トリエチレングリコールブチルメチルエーテル、ビス（２−プロポキシエチル）エーテル、ジエチレングリコールジアセテート、ジエチレングリコールブチルメチルエーテル、ジエチレングリコールブチルエチルエーテル、ジエチレングリコールブチルプロピルエーテル、ジエチレングリコールエチルプロピルエーテル、ジエチレングリコールメチルプロピルエーテル、ジエチレングリコールプロピルエーテルアセテート、トリエチレングリコールメチルエーテルアセテート、トリエチレングリコールエチルエーテルアセテート、トリエチレングリコールプロピルエーテルアセテート、トリエチレングリコールブチルエーテルアセテート、トリエチレングリコールブチルエチルエーテル、トリエチレングリコールエチルメチルエーテル、トリエチレングリコールエチルプロピルエーテル、トリエチレングリコールメチルプロピルエーテル、ジプロピレングリコールメチルエーテルアセテート、ｎ−ノニルアルコール、ジエチレングリコールモノブチルエーテル、トリエチレングリコールモノメチルエーテル、エチレングリコール２−エチルヘキシルエーテル、トリエチレングリコールモノエチルエーテル、ジエチレングリコールモノヘキシルエーテル、トリエチレングリコールモノブチルエーテル、ジエチレングリコールモノ−２−エチルヘキシルエーテル、トリプロピレングリコールｎ−ブチルエーテル等が挙げられ、これらから選択される１種または２種以上を組み合わせて用いることができる。
【００２６】
特に、カラーフィルタ用インクを構成する液性媒体は、ビス（２−プロポキシエチル）エーテル、２−（２−メトキシ−１−メチルエトキシ）−１−メチルエチルアセテート、トリエチレングリコールジメチルエーテル、トリエチレングリコールジアセテート、ジエチレングリコールモノエチルエーテルアセテート、ビス（２−ブトキシエチル）エーテル、グルタル酸ジメチル、エチレングリコールジｎ−ブチレート、１，３−ブチレングリコールジアセテート、ジエチレングリコールモノブチルエーテルアセテート、テトラエチレングリコールジメチルエーテルよりなる群から選択される１種または２種以上を含むものであるのが好ましい。これにより、製造されるカラーフィルタの各部位での色むら、濃度むら等をより効果的に抑制することができるとともに、個体間での特性の均一性を特に優れたものとすることができる。
【００２７】
中でも、液性媒体がトリエチレングリコールジアセテートを含むものであると、長鎖かつ対象性のアセテート構造であるため、相互分子間力が散漫かつ弱く、温度変化に対しコンフォメーション変化が特に小さく、粘度変化が特に小さいものとなる。液性媒体がトリエチレングリコールジアセテートを含むものである場合、液性媒体中に占めるトリエチレングリコールジアセテートの割合は、３０〜７０ｗｔ％であるのが好ましい。また、液性媒体がテトラエチレングリコールジメチルエーテルを含むものであると、長鎖かつ対称性のエーテル構造であるため、相互分子間力が上記対称性エステル構造よりも更に散漫かつ弱く、温度変化に対しコンフォメーション変化が極めて少なく、粘度変化が更に小さいものとなる。液性媒体がテトラエチレングリコールジメチルエーテルを含むものである場合、液性媒体中に占めるテトラエチレングリコールジメチルエーテルの割合は、３０〜７０ｗｔ％であるのが好ましい。
【００２８】
カラーフィルタ用インク２中における液性媒体の含有率は、７０〜９８ｗｔ％であるのが好ましく、８０〜９５ｗｔ％であるのがより好ましい。液性媒体の含有率が前記範囲内の値であると、カラーフィルタ１用の液滴吐出ヘッド１１４からの吐出性（吐出安定性）を特に優れたものとしつつ、製造されるカラーフィルタ１の耐久性を優れたものとすることができる。また、製造されるカラーフィルタ１の各部位での色むら、濃度むら等をより効果的に抑制することができるとともに、個体間での特性の均一性を特に優れたものとすることができる。また、製造されるカラーフィルタ１において、十分な色濃度を確保することができる。
【００２９】
＜分散剤＞
カラーフィルタ用インク２中には、分散剤が含まれていてもよい。これにより、例えば、カラーフィルタ用インクが、分散性の低い顔料を含む場合等であっても、顔料の分散安定性を優れたものとすることができ、カラーフィルタ用インクの保存安定性を優れたものとすることができる。
【００３０】
分散剤としては、例えば、カチオン系、アニオン系、ノニオン系、両性、シリコーン系、フッ素系等の界面活性剤が挙げられる。界面活性剤の具体例としては、ポリオキシエチレンラウリルエーテル、ポリオキシエチレンステアリルエーテル、ポリオキシエチレンオレイルエーテル等のポリオキシエチレンアルキルエーテル類；ポリオキシエチレンｎ−オクチルフェニルエーテル、ポリオキシエチレンｎ−ノニルフェニルエーテル等のポリオキシエチレンアルキルフェニルエーテル類；ポリエチレングリコールジラウレート、ポリエチレングリコールジステアレート等のポリエチレングリコールジエステル類；ソルビタン脂肪酸エステル類；脂肪酸変性ポリエステル類；３級アミン変性ポリウレタン類；ポリエチレンイミン類等のほか、以下商品名で、ＫＰ（信越化学工業（株）製）、ポリフロー（共栄社化学（株）製）、エフトップ（トーケムプロダクツ社製）、メガファック（大日本インキ化学工業（株）製）、フロラード（住友スリーエム（株）製）、アサヒガード、サーフロン（以上、旭硝子（株）製）、Ｄｉｓｐｅｒｂｙｋ（ビックケミー・ジャパン（株）製）、ソルスパース３０００，５０００，１１２００，１２０００，１３２４０，１３６５０，１３９４０，１６０００，１７０００，１８０００，２００００，２１０００，２２０００，２４０００ＳＣ，２４０００ＧＲ（日本ルブリゾール（株）製）、サーフィノール（エアープロダクト社製）、ダイノール（エアープロダクト社製）等が挙げられる。
カラーフィルタ用インク２中における分散剤の含有率は、０．５〜１５ｗｔ％であるのが好ましく、０．５〜８ｗｔ％であるのがより好ましい。
【００３１】
＜樹脂材料＞
カラーフィルタ用インク２は、通常、樹脂材料（バインダー樹脂）を含むものである。これにより、製造されるカラーフィルタ１において、着色部（着色層）１２を基板１１との密着性に優れたものとすることができ、カラーフィルタ１の耐久性を優れたものとすることができる。
【００３２】
カラーフィルタ用インク２を構成する樹脂材料としては、各種熱可塑性樹脂、各種熱硬化性樹脂等、いかなる樹脂材料を用いてもよいが、多官能性分子が重合したアクリル樹脂や、エポキシ系樹脂であるのが好ましい。これらの樹脂材料は、透明性が高く、硬度が高いものであるとともに、熱収縮量が小さい。このため、着色部１２の基板１１への密着性を特に優れたものとすることができる。また、カラーフィルタ用インク２を構成する樹脂材料としては、エポキシ系樹脂の中でも、特に、シリルアセテート構造（ＳｉＯＣＯＣＨ３）と、エポキシ構造とを有するエポキシ系樹脂を用いるのが好ましい。これにより、インクジェット方式による液滴吐出を好適に行うことができるとともに、着色部と基板との密着性を特に優れたものとすることができ、カラーフィルタ１の耐久性を特に優れたものとすることができる。
【００３３】
カラーフィルタ用インク２中における樹脂材料の含有率は、０．５〜１０ｗｔ％であるのが好ましく、１〜５ｗｔ％であるのがより好ましい。樹脂材料の含有率が前記範囲内の値であると、カラーフィルタ用の液滴吐出ヘッド１１４からの吐出性（吐出安定性）を特に優れたものとしつつ、製造されるカラーフィルタ１の耐久性を特に優れたものとすることができる。また、製造されるカラーフィルタ１において、十分な色濃度を確保することができる。
【００３４】
＜その他の成分＞
カラーフィルタ用インク２は、必要に応じて、種々の他の成分を含むものであってもよい。このような成分（他の添加剤）としては、例えば、各種架橋剤；各種重合開始剤；銅フタロシアニン誘導体等の青色顔料誘導体や黄色顔料誘導体等の分散助剤；ガラス、アルミナ等の充填剤；ポリビニルアルコール、ポリエチレングリコールモノアルキルエーテル、ポリフロロアルキルアクリレート等の高分子化合物；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール等の酸化防止剤；２−（３−ｔ−ブチル−５−メチル−２−ヒドロキシフェニル）−５−クロロベンゾトリアゾール、アルコキシベンゾフェノン等の紫外線吸収剤；ポリアクリル酸ナトリウム等の凝集防止剤；メタノール、エタノール、ｉ−プロパノール、ｎ−ブタノール、グリセリン等のインクジェット吐出性能安定化剤；以下商品名で、エフトップＥＦ３０１、同ＥＦ３０３、同ＥＦ３５２（以上、新秋田化成（株）製）、メガファックＦ１７１、同Ｆ１７２、同Ｆ１７３、同Ｆ１７８Ｋ（以上、大日本インキ化学工業（株）製）、フロラードＦＣ４３０、同ＦＣ４３１（以上、住友スリーエム（株）製）、アサヒガードＡＧ７１０、サーフロンＳ−３８２、同ＳＣ−１０１、同ＳＣ−１０２、同ＳＣ−１０３、同ＳＣ−１０４、同ＳＣ−１０５、同ＳＣ−１０６（以上、旭硝子（株）製）、ＫＰ３４１（信越化学工業（株）製）、ポリフローＮｏ．７５、同Ｎｏ．９５（以上、共栄社油脂化学工業（株）製）等の界面活性剤等が挙げられる。
また、カラーフィルタ用インクは、熱酸発生剤や酸架橋剤を含有するものであってもよい。前記熱酸発生剤は、加熱により酸を発生する成分であり、その例としては、スルホニウム塩、ベンゾチアゾリウム塩、アンモニウム塩、ホスホニウム塩等のオニウム塩等が挙げられ、特に、スルホニウム塩およびベンゾチアゾリウム塩が好ましい。
【００３５】
《インクセット》
上述したようなカラーフィルタ用インク２は、インクジェット方式によるカラーフィルタ１の製造に用いられるものである。カラーフィルタ１は、通常、フルカラー表示に対応するため、複数色の着色部１２（通常は、光の三原色に対応するＲＧＢの３色）を有している。そして、これら複数色の着色部１２の形成には、それぞれに対応する色の複数種のカラーフィルタ用インク２が用いられる。すなわち、カラーフィルタ１の製造には、複数色のカラーフィルタ用インク２を備えるインクセットが用いられる。本発明においては、カラーフィルタ１の製造において、上述したようなカラーフィルタ用インク２が、少なくとも１種の着色部１２の形成に用いられるものであればよいが、全色の着色部の形成に用いられるのが好ましい。
【００３６】
《カラーフィルタ》
次に、上述したようなカラーフィルタ用インク２（インクセット）を用いて製造されるカラーフィルタの一例について説明する。
図１は、本発明のカラーフィルタの好適な実施形態を示す断面図である。
図１に示すように、カラーフィルタ１は、基板１１と、上述したカラーフィルタ用インク２を用いて成形された着色部１２とを備えている。着色部１２としては、互いに異なる色の第１の着色部１２Ａ、第２の着色部１２Ｂ、および第３の着色部１２Ｃが設けられている。そして、隣接する着色部１２の間には、隔壁１３が設けられている。
【００３７】
＜基板＞
基板１１は、光透過性を有する板状の部材で、着色部１２、隔壁１３を保持する機能を有している。
基板１１は、実質的に透明な材料で構成されたものであるのが好ましい。これにより、カラーフィルタ１を透過する光により、より鮮明な画像を形成することができる。
【００３８】
また、基板１１は、耐熱性、機械的強度に優れたものであるのが好ましい。これにより、例えば、カラーフィルタ１の製造時に加わる熱による変形等を確実に防止することができる。このような条件を満足する基板１１の構成材料としては、例えば、ガラス、シリコン、ポリカーボネート、ポリエステル、芳香族ポリアミド、ポリアミドイミド、ポリイミド、ノルボルネン系開環重合体やその水素添加物等が挙げられる。
【００３９】
＜着色部＞
着色部１２は、上述したようなカラーフィルタ用インク２を用いて形成されたものである。
着色部１２は、上述したようなカラーフィルタ用インク２を用いて形成されたものであるため、各画素間での特性のばらつきが小さい。このため、カラーフィルタ１は、色むら、濃度むら等の発生が抑制された、信頼性が高いものとなっている。
各着色部１２は、後述する隔壁１３により囲まれた領域であるセル１４内に設けられている。
【００４０】
第１の着色部１２Ａ、第２の着色部１２Ｂ、および第３の着色部１２Ｃは、互いに異なる色のものである。例えば、第１の着色部１２Ａを赤色フィルター領域（Ｒ）、第２の着色部１２Ｂを緑色フィルター領域（Ｇ）、第３の着色部１２Ｃを青色フィルター領域（Ｂ）とすることができる。そして、一組の異なる色の着色部１２Ａ、１２Ｂ、１２Ｃで１画素を構成している。そして、カラーフィルタ１においては、その横方向および縦方向に、着色部１２が所定数配置されている。例えば、カラーフィルタ１が、ハイビジョン用のカラーフィルタである場合には１３６６×７６８個の画素が配置されており、フルハイビジョン用のカラーフィルタである場合には１９２０×１０８０個の画素が配置されており、スーパーハイビジョン用のカラーフィルタである場合には７６８０×４３２０個の画素が配置されている。なお、カラーフィルタ１は、例えば、有効領域外に予備の画素を備えたものであってもよい。
【００４１】
＜隔壁＞
隣接する着色部１２の間には、隔壁（バンク）１３が設けられている。これにより、隣接する着色部１２同士が混色してしまうのを確実に防止することができ、その結果、鮮明な画像を確実に表示することができる。
隔壁１３は、透明な材料で構成されたものであってもよいが、遮光性を有する材料で構成されたものであるのが好ましい。これにより、コントラストに優れた画像を表示することができる。隔壁（遮光部）１３の色は、特に限定されないが、黒色であるのが好ましい。これにより、表示される画像のコントラストを特に優れたものとすることができる。
【００４２】
隔壁１３の高さは、特に限定されないが、着色部１２の膜厚よりも大きいものであるのが好ましい。これにより、隣接する着色部１２の間での混色を確実に防止することができる。隔壁１３の具体的な厚さは、０．１〜１０μｍであるのが好ましく、０．５〜３．５μｍであるのがより好ましい。これにより、隣接する着色部１２の間での混色を確実に防止することができるとともに、カラーフィルタ１を備えた画像表示装置、電子機器における視野角特性を優れたものとすることができる。
【００４３】
隔壁１３は、いかなる材料で構成されたものであってもよいが、例えば、主として樹脂材料で構成されたものであるのが好ましい。これにより、後述するような方法で、隔壁１３を容易に所望の形状を有するものとして形成することができる。また、隔壁１３が遮光部としての機能を有するものである場合、その構成材料として、カーボンブラック等の光吸収性の材料を含むものであってもよい。
【００４４】
《カラーフィルタの製造方法》
次に、カラーフィルタ１の製造方法について説明する。
図２は、カラーフィルタの製造方法を示す断面図、図３は、カラーフィルタの製造に用いる本発明の液滴吐出装置を示す斜視図、図４は、図３に示す液滴吐出装置における液滴吐出手段をステージ側から観察した図、図５は、図３に示す液滴吐出装置における液滴吐出ヘッドの底面を示す図、図６は、図３に示す液滴吐出装置における液滴吐出ヘッドを示す図（（ａ）は断面斜視図、（ｂ）は断面図）、図７は、カラーフィルタの製造に用いる液滴吐出装置の主要部を示すブロック図、図８は、インクの粘度の経時変化の一例を示す検量線、図９は、図３に示す液滴吐出装置における制御手段の制御プログラムを示すフローチャートである。
【００４５】
図２に示すように、本実施形態では、基板１１を準備する基板準備工程（１ａ）と、基板１１上に隔壁１３を形成する隔壁形成工程（１ｂ、１ｃ）と、インクジェット方式によりカラーフィルタ用インク２を隔壁１３で囲まれた領域に付与するインク付与工程（１ｄ）と、カラーフィルタ用インク２から液性媒体を除去し、固形状の着色部１２とする着色部形成工程（１ｅ）とを有している。
【００４６】
＜基板準備工程＞
まず、基板１１を準備する（１ａ）。本工程で準備する基板１１は、洗浄処理が施されたものであるのが好ましい。また、本工程で準備する基板１１は、シランカップリング剤等による薬品処理、プラズマ処理、イオンプレーティング、スパッタリング、気相反応法、真空蒸着等の適宜の前処理が施されたものであってもよい。
【００４７】
＜隔壁形成工程＞
次に、基板１１の隔壁形成用の感放射線性組成物を基板１１の一方の面のほぼ全体に付与し、塗膜３を形成する（１ｂ）。なお、基板１１上に感放射線性組成物を付与した後、必要に応じて、プリベーク処理を行ってもよい。プリベーク処理は、例えば、加熱温度：５０〜１５０℃、加熱時間：３０〜６００秒という条件で行うことができる。
【００４８】
その後、フォトマスクを介して、放射線を照射して、ポストエキスポジャーベーク処理（ＰＥＢ）を行い、さらに、アルカリ現像液を用いた現像処理を行うことにより、隔壁１３が形成される（１ｃ）。ＰＥＢは、例えば、加熱温度：５０〜１５０℃、加熱時間：３０〜６００秒、放射線照射強度：１〜５００ｍＪ／ｃｍ２という条件で行うことができる。また、現像処理は、例えば、液盛り法、ディッピング法、振動浸漬法等により行うことができ、現像処理時間は、例えば、１０〜３００秒とすることができる。また、現像処理の後、必要に応じて、ポストベーク処理を行ってもよい。ポストベーク処理は、例えば、加熱温度：１５０〜２８０℃、加熱時間：３〜１２０分という条件で行うことができる。これにより、多数個の隔壁１３、すなわち、多数個のセル１４が設けられた基板１１が得られる。
【００４９】
＜インク付与工程＞
次に、インクジェット方式により、カラーフィルタ用インク２を、隔壁１３で囲まれたセル１４に向かって吐出し、当該セル１４内に付与する（１ｄ）。
本工程は、形成すべき複数色の着色部１２に対応する複数種のカラーフィルタ用インク２を用いて行う。この際、隔壁１３が設けられているため、２種以上のカラーフィルタ用インク２が混ざり合うことが確実に防止される。
【００５０】
カラーフィルタ用インク２の吐出は、図３〜図６に示すような液滴吐出装置１００を用いて行う。すなわち、液滴吐出装置１００を用いて、カラーフィルタ用インク２を、多数個のセル１４が設けられた基板１１上の各セル１４に、液滴吐出ヘッド１１４のノズル１１８からインクジェット方式で吐出し、セル１４に対して付与する。
そして、本工程は、図３〜図６に示すような液滴吐出装置１００を、所定の温度（環境温度）に設定されたチャンバー（サーマルチャンバー）内に設置した状態で行う。液滴吐出装置１００が設置されるチャンバー内は、通常、２０〜２６℃の温度に設定される。チャンバー内の温度をこのような範囲に設定することにより、温度制御を比較的容易に行うことができるとともに、液滴吐出装置の発熱等によるチャンバー内の各部位での温度のばらつき、変動を比較的小さいものとすることができる。また、温度制御に要する電力等のエネルギー量を抑制することができる。また、一般に、クリーンルームとして用いられている施設の設定温度も、上記範囲内であるため、既存の施設を、カラーフィルタの製造に、好適に利用することができる。また、通常、チャンバー内の設定温度は、そのレンジが０．５〜１．５℃（±０．２５〜±０．７５℃）となるように設定されている。
【００５１】
また、上記のように、液滴吐出装置１００が設置されるチャンバー内の設定温度は、通常、２０〜２６℃とされるが、２１〜２５℃であるのが好ましく、２２〜２４℃であるのがより好ましい。これにより、上述した効果をより顕著に発揮させることができるとともに、カラーフィルタ用インク２の吐出安定性を特に優れたものとすることができる。
図３に示すように、本工程で用いる液滴吐出装置１００は、カラーフィルタ用インク２を保持する（貯留する）１次タンク（インク貯留部）１０１ａおよび２次タンク（インク貯留部）１０１ｂと、これらのタンク同士を連結する（接続する）チューブ１１０ａと、チューブ１１０ｂを介して２次タンク１０１ｂからカラーフィルタ用インク２が供給される吐出走査部１０２とを備える。これらは、前記液滴吐出ヘッド１１４にカラーフィルタ用インク２を供給するインク供給手段として機能する部位である。吐出走査部１０２は、複数の液滴吐出ヘッド（インクジェットヘッド）１１４をキャリッジ１０５に搭載してなる液滴吐出手段１０３と、液滴吐出手段１０３の位置を制御する第１位置制御装置１０４（移動手段）と、前記工程で隔壁１３が形成された基板１１（以下、単に「基板１１」とも言う。）を保持するステージ１０６と、ステージ１０６の位置を制御する第２位置制御装置１０８（移動手段）と、制御手段（粘度推定手段、インク吐出量調整手段）１１２とを備えている。この液滴吐出装置１００では、２次タンク１０１ｂから複数の液滴吐出ヘッド１１４のそれぞれにカラーフィルタ用インク２が圧縮空気によって供給されるよう構成されている。
【００５２】
前記吐出走査部１０２は、単一の液滴吐出手段１０３を有していてもよく、また、複数の液滴吐出手段１０３を有していてもよいが、後者の方が大量生産に有利である。図３には、単一の液滴吐出手段１０３を有する吐出走査部１０２が図示されており、以降、代表的に、図３に示す吐出走査部１０２について説明する。
制御手段（制御装置）１１２は、例えば、演算部やメモリ等を内蔵するマイクロコンピュータやパーソナルコンピュータ等のコンピュータで構成されている。この制御手段１１２には、カラーフィルタ用インク２の粘度の経時変化に関する信号（粘度情報（図８に示す検量線（粘度カーブ）のテーブルデータ））と、液滴吐出ヘッド１１４のヘッド温度を検出する各温度センサ（ヘッド温度検出手段）４からの検出信号（検出値（温度センサ４で検出された液滴吐出ヘッド１１４の温度のデータ））と、液滴吐出装置１００が使用されるチャンバー内の室温（環境の環境温度）を検出する温度センサ（環境温度検出手段）７からの検出信号（検出値（温度センサ７で検出された室温のデータ））と、図示しない操作部からの信号（入力）とが、それぞれ、随時入力される。
【００５３】
また、制御手段１１２は、温度センサ４からの検出信号、温度センサ７からの検出信号、操作部からの信号等に基づき、予め設定されたプログラムに従って、液滴吐出装置１００の各部の作動（駆動）をそれぞれ制御する。
第１位置制御装置１０４は、制御手段１１２からの信号に応じて、液滴吐出手段１０３をＸ軸方向、およびＸ軸方向に直交するＺ軸方向に沿って移動させる。さらに、第１位置制御装置１０４は、Ｚ軸に平行な軸の回りで液滴吐出手段１０３を回転させる機能も有する。本実施形態では、Ｚ軸方向は、鉛直方向（つまり重力加速度の方向）に平行な方向である。第２位置制御装置１０８は、制御手段１１２からの信号に応じて、Ｘ軸方向およびＺ軸方向の双方に直交するＹ軸方向に沿ってステージ１０６を移動させる。さらに、第２位置制御装置１０８は、Ｚ軸に平行な軸の回りでステージ１０６を回転させる機能も有する。
【００５４】
ステージ１０６は、Ｘ軸方向とＹ軸方向との双方に平行な平面を有する。また、ステージ１０６は、カラーフィルタ用インク２を付与すべきセル１４を有する基板１１をその平面上に固定、または保持できるように構成されている。
上述のように、液滴吐出手段１０３は、第１位置制御装置１０４によってＸ軸方向に移動させられる。一方、ステージ１０６は、第２位置制御装置１０８によってＹ軸方向に移動させられる。つまり、第１位置制御装置１０４および第２位置制御装置１０８によって、ステージ１０６に対する液滴吐出ヘッド１１４の相対位置が変わる（ステージ１０６に保持された基板１１と、液滴吐出手段１０３とが相対的に移動する）。
【００５５】
制御手段１１２は、カラーフィルタ用インク２を吐出すべき相対位置を表す吐出データを外部情報処理装置から受け取るように構成されている。
このインク付与工程においては、液滴吐出ヘッド１１４と基板１１とを相対的に走査しつつ、基板１１上にカラーフィルタ用インク２を吐出する。すなわち、第２位置制御装置１０８の作動により、基板１１が保持されているステージ１０６をＹ軸方向に移動させ、液滴吐出手段１０３の下を通過させつつ、液滴吐出手段１０３の各液滴吐出ヘッド１１４のノズル１１８からカラーフィルタ用インク２の液滴（インク滴）を吐出して、基板１１上の各セル１４に付与する（着弾させる）。以下、この動作を「塗布走査（液滴吐出ヘッド１１４と基板１１との主走査）」と言うことがある。
そして、インク付与工程においては、通常は、前記塗布走査（走査）を複数回行うようになっている。なお、前記塗布走査の回数は、１回でもよいことは言うまでもない。
【００５６】
図４に示すように、液滴吐出手段１０３は、それぞれほぼ同じ構造を有する複数の液滴吐出ヘッド１１４と、これらの液滴吐出ヘッド１１４を保持するキャリッジ１０５とを有している。図示の構成では、液滴吐出手段１０３に保持される液滴吐出ヘッド１１４の数は８個である。それぞれの液滴吐出ヘッド１１４は、後述する複数のノズル１１８が設けられた底面を有している。それぞれの液滴吐出ヘッド１１４のこの底面の形状は、２つの長辺と２つの短辺とを有する多角形（四角形）である。液滴吐出手段１０３に保持された液滴吐出ヘッド１１４の底面はステージ１０６側を向いており、さらに、液滴吐出ヘッド１１４の長辺方向と短辺方向とは、それぞれＸ軸方向とＹ軸方向とに平行である。
【００５７】
図５に示すように、液滴吐出ヘッド１１４は、Ｘ軸方向に並んだ複数のノズル１１８を有する。これら複数のノズル１１８は、液滴吐出ヘッド１１４におけるＸ軸方向のノズルピッチＨＸＰが所定の値となるように配置されている。ノズルピッチＨＸＰの具体的な値は、特に限定されないが、例えば、５０〜９０μｍとすることができる。ここで、「液滴吐出ヘッド１１４におけるＸ軸方向のノズルピッチＨＸＰ」は、液滴吐出ヘッド１１４におけるノズル１１８のすべてをＹ軸方向に沿ってＸ軸上に射像して得られた複数のノズル像間のピッチに相当する。
【００５８】
本実施形態では、液滴吐出ヘッド１１４における複数のノズル１１８は、ともにＸ軸方向に延びるノズル列１１６Ａと、ノズル列１１６Ｂとをなす。ノズル列１１６Ａと、ノズル列１１６Ｂとは、間隔を空けて平行に配置されている。そして、本実施形態においては、ノズル列１１６Ａおよびノズル列１１６Ｂのそれぞれにおいて、９０個のノズル１１８が一定間隔ＬＮＰでＸ軸方向に一列に並んでいる。ＬＮＰの具体的な値は、特に限定されないが、１００〜１８０μｍとすることができる。
【００５９】
ノズル列１１６Ｂの位置は、ノズル列１１６Ａの位置に対して、ノズルピッチＬＮＰの半分の長さだけＸ軸方向の正の方向（図５の右方向）にずれている。このため、液滴吐出ヘッド１１４のＸ軸方向のノズルピッチＨＸＰは、ノズル列１１６Ａ（またはノズル列１１６Ｂ）のノズルピッチＬＮＰの半分の長さである。
従って、液滴吐出ヘッド１１４のＸ軸方向のノズル線密度は、ノズル列１１６Ａ（またはノズル列１１６Ｂ）のノズル線密度の２倍である。なお、本明細書において「Ｘ軸方向のノズル線密度」とは、複数のノズルをＹ軸方向に沿ってＸ軸上に射像して得られた複数のノズル像の単位長さ当たりの数に相当する。もちろん、液滴吐出ヘッド１１４が含むノズル列の数は、２つだけに限定されない。液滴吐出ヘッド１１４はＭ個のノズル列を含んでもよい。ここで、Ｍは１以上の自然数である。この場合には、Ｍ個のノズル列のそれぞれにおいて複数のノズル１１８は、ノズルピッチＨＸＰのＭ倍の長さのピッチで並ぶ。さらに、Ｍが２以上の自然数の場合には、Ｍ個のノズル列のうちの一つに対して、他の（Ｍ−１）個のノズル列は、ノズルピッチＨＸＰのｉ倍の長さだけ重複無くＸ軸方向にずれている。ここで、ｉは１から（Ｍ−１）までの自然数である。
【００６０】
本実施形態では、ノズル列１１６Ａおよびノズル列１１６Ｂのそれぞれが９０個のノズル１１８からなるため、１つの液滴吐出ヘッド１１４は１８０個のノズル１１８を有する。ただし、ノズル列１１６Ａの両端のそれぞれ５ノズルは「休止ノズル」として設定されている。同様に、ノズル列１１６Ｂの両端のそれぞれ５ノズルも「休止ノズル」として設定されている。そして、これら２０個の「休止ノズル」からはカラーフィルタ用インク２が吐出されない。このため、液滴吐出ヘッド１１４における１８０個のノズル１１８のうち、１６０個のノズル１１８がカラーフィルタ用インク２を吐出するノズルとして機能する。
【００６１】
図４に示すように、液滴吐出手段１０３においては、複数個の上記液滴吐出ヘッド１１４がＹ軸方向に沿って２列に配置されている。一方の列の液滴吐出ヘッド１１４と他方の列の液滴吐出ヘッド１１４とは、休止ノズル分を考慮して、Ｙ軸方向から見て一部重なるように配置されている。これにより、液滴吐出手段１０３においては、基板１１のＸ軸方向の寸法分の長さに渡り、カラーフィルタ用インク２を吐出するノズル１１８が前記ノズルピッチＨＸＰでＸ軸方向に連続するように構成されている。
本実施形態の液滴吐出手段１０３では、基板１１のＸ軸方向の寸法分の長さ全体をカバーするように液滴吐出ヘッド１１４を配置しているが、本発明における液滴吐出手段は、基板１１のＸ軸方向の寸法分の長さの一部をカバーするようにものでもよい。
【００６２】
図６（ａ）および（ｂ）に示すように、それぞれの液滴吐出ヘッド１１４は、インクジェットヘッドである。より具体的には、それぞれの液滴吐出ヘッド１１４は、振動板１２６と、ノズルプレート１２８とを備えている。振動板１２６と、ノズルプレート１２８との間には、１次タンク１０１ａから、チューブ１１０ａ、２次タンク１０１ｂ、チューブ１１０ｂを順に通過して、孔１３１を介して供給されるカラーフィルタ用インク２が常に充填される液たまり１２９が位置している。
【００６３】
また、振動板１２６と、ノズルプレート１２８との間には、複数の隔壁１２２が位置している。そして、振動板１２６と、ノズルプレート１２８と、１対の隔壁１２２とによって囲まれた部分がキャビティ１２０である。キャビティ１２０は１つのノズル１１８に対応して（連通して）設けられているため、キャビティ１２０の数とノズル１１８の数とは同じである。キャビティ１２０には、１対の隔壁１２２間に位置する供給口１３０を介して、液たまり１２９からカラーフィルタ用インク２が供給される。
【００６４】
振動板１２６上には、それぞれのキャビティ１２０に対応して（臨むように）、振動子１２４が設置されている。振動子１２４は、駆動素子としてのピエゾ素子（圧電素子）１２４Ｃと、ピエゾ素子１２４Ｃを挟む１対の電極１２４Ａ、１２４Ｂとを含む。この１対の電極１２４Ａ、１２４Ｂとの間に駆動電圧（信号）を印加する（与える）ことで、前記キャビティ１２０内の容積が変化して、当該キャビティ１２０に対応するノズル１１８からカラーフィルタ用インク２が吐出される。
【００６５】
この駆動電圧は、制御手段１１２に内蔵された電圧調整部１１３により、その大きさを調整可能となっている。電圧調整部１１３の構成としては、特に限定されず、例えば、可変抵抗器等が挙げられる。
この場合、前記駆動電圧（例えば、駆動電圧の大きさ等）を調整することにより、ノズル１１８から吐出されるカラーフィルタ用インク２の吐出動作１回当りの吐出量（体積）を調整することができるようになっている。また、一般的にカラーフィルタ用インク２の粘度は、温度が上昇するほど低下し、カラーフィルタ用インク２の吐出動作１回当りの吐出量は、増大する。
【００６６】
なお、ノズル１１８からＺ軸方向にカラーフィルタ用インク２が吐出されるように、ノズル１１８の形状が調整されている。
制御手段１１２は、複数の振動子１２４のそれぞれに互いに独立に駆動電圧を印加するように構成されていてもよい。つまり、ノズル１１８から吐出されるカラーフィルタ用インク２の吐出動作１回当りの吐出量が、制御手段１１２からの信号、すなわち、駆動電圧に応じてノズル１１８毎に制御されてもよい。また、制御手段１１２は、塗布走査の間に吐出動作を行うノズル１１８と、吐出動作を行わないノズル１１８とを設定することでもできる。
本明細書では、１つのノズル１１８と、ノズル１１８に対応するキャビティ１２０と、キャビティ１２０に対応する振動子１２４とを含んだ部分を「吐出部１２７」と表記することもある。この表記によれば、１つの液滴吐出ヘッド１１４は、ノズル１１８の数と同じ数の吐出部１２７を有する。
【００６７】
図３に示すように、液滴吐出装置１００は、液滴吐出ヘッド１１４（カラーフィルタ用インク２）のヘッド温度を検出する温度センサ（ヘッド温度検出手段）４を有している。温度センサ４としては、特に限定されず、例えば、熱伝対、サーミスタ等を用いることができる。この温度センサ４が設置される箇所は、液滴吐出ヘッド１１４の温度を検出し得る箇所であれば、特に限定されず、例えば、図３に示す構成では液滴吐出ヘッド１１４の内部（キャビティ１２０近傍）となっている。なお、温度センサ４は、液滴吐出手段１０３の各液滴吐出ヘッド１１４のそれぞれに設置されていてもよく、また、一部の液滴吐出ヘッド１１４のみに設置されていてもよい。温度センサ４が液滴吐出手段１０３の各液滴吐出ヘッド１１４にそれぞれ設置されている場合は、精細な制御を行なうことができる。また、温度センサ４が一部の液滴吐出ヘッド１１４のみに設置されていている場合は、その温度センサ４の検出値を代表値として用いる。
【００６８】
また、液滴吐出装置１００は、当該液滴吐出装置１００が設置されたチャンバー内の室温を検出する温度センサ（環境温度検出手段）７を有している。温度センサ７としては、特に限定されず、例えば、センサ４と同様に、熱伝対、サーミスタ等を用いることができる。この温度センサ７の設置数は、１つでもよいし、複数でもよい。温度センサ７が複数設置されている場合には、これらの温度センサ７から検出された検出値の平均値を代表値として用いる。
【００６９】
上記のような液滴吐出装置１００を用いて、カラーフィルタ１が有する複数色の着色部１２に対応するカラーフィルタ用インク２を、セル１４内に付与する。上記のような装置を用いることにより、セル１４内に、効率よくかつ選択的にカラーフィルタ用インク２を付与することができる。なお、図示の構成では、液滴吐出装置１００は、カラーフィルタ用インク２を保持する１次タンク１０１ａ、２次タンク１０１ｂ、チューブ１１０ａ、１１０ｂ等を１色分しか有していないが、これらの部材を、カラーフィルタ１が有する複数色の着色部１２に対応する複数色分有するものであってもよい。また、カラーフィルタ１の製造においては、複数色のカラーフィルタ用インク２に対応する複数の液滴吐出装置１００を用いてもよい。
なお、本発明では、液滴吐出ヘッド１１４は、駆動素子として、ピエゾ素子の代わりに静電アクチュエータを用いるものでもよい。また、液滴吐出ヘッド１１４は、駆動素子として電気熱変換素子を用い、この電気熱変換素子による材料の熱膨張を利用してカラーフィルタ用インク２を吐出する構成であってもよい。
【００７０】
＜着色部形成工程＞
次に、セル１４内のカラーフィルタ用インク２から液性媒体を除去し、固形状の着色部１２とする（１ｅ）。これにより、カラーフィルタ１が得られる。また、本工程においては、必要に応じて、樹脂材料を架橋成分等と反応させてもよい。液性媒体の除去は、例えば、加熱により行うことができる。また、この際、カラーフィルタ用インク２が付与された基板１１を、減圧環境下に置いてもよい。これにより、液性媒体の除去をより効率よく進行させることができる。また、本工程においては、放射線の照射を行ってもよい。これにより、樹脂材料の架橋成分等との反応を効率よく進行させることができる。
【００７１】
ここで、液滴吐出装置１００の主要部間の電気的接続（通信）について、図７を参照しつつ説明する。
図７に示すように、液滴吐出装置１００は、記憶手段５１、５２および５５と、相互に無線通信を行う無線通信手段５３、５４および５６とを備えている。
記憶手段５１および無線通信手段５３は、それぞれ、制御手段１１２に電気的に接続されている。また、温度センサ７は、記憶手段５１に接続されている。
【００７２】
また、記憶手段５２および無線通信手段５４は、それぞれ、各液滴吐出手段１０３のキャリッジ１０５に設置されている。各液滴吐出手段１０３において、それぞれ、記憶手段５２は、無線通信手段５４に電気的に接続され、また、各温度センサ４は、記憶手段５２に接続されている。
また、記憶手段５５および無線通信手段５６は、例えば１次タンク１０１ａ近傍に設置されている。記憶手段５２は、無線通信手段５４に電気的に接続されている。また、記憶手段５２には、Ｒ（赤色）、Ｇ（緑色）、Ｂ（青色）の各カラーフィルタ用インク２が製造された日付（以下これを「製造日」と言う）のデータ（時間情報）を入力する入力手段５７が電気的に接続されている。
【００７３】
記憶手段５１は、各種の情報、データ、演算式、テーブル、プログラム等が記憶（記録とも言う）される記憶媒体（記録媒体とも言う）を有しており、この記憶媒体は、例えば、ＲＡＭ等の揮発性メモリ、ＲＯＭ等の不揮発性メモリ、ＥＰＲＯＭ、ＥＥＰＲＯＭ、フラッシュメモリ等の書き換え可能（消去、書き換え可能）な不揮発性メモリ等、各種半導体メモリ、ＩＣメモリ、磁気記録媒体、光記録媒体、光磁気記録媒体等で構成される。この記憶手段５１における書き込み（記憶）、書き換え、消去、読み出し等の制御は、制御手段１１２によりなされる。
【００７４】
また、記憶手段５２は、温度センサ４で検出された液滴吐出ヘッド１１４のヘッド温度のデータ等が記憶される記憶媒体を有している。この記憶手段５２の記憶媒体としては、前記記憶手段５１と同様のものを用いることができる。
各温度センサ４で検出された各液滴吐出ヘッド１１４のヘッド温度のデータは、一旦、記憶手段５２に記憶され、記憶手段５２から読み出されて、この温度センサ４側の無線通信手段５４により、制御手段１１２側の無線通信手段５３に送信され、その無線通信手段５３で受信される。そして、その各液滴吐出ヘッド１１４のヘッド温度のデータは、一旦、記憶手段５１に記憶され、必要時に読み出されて、セル１４に対して付与するインク量の調整に用いられる。
【００７５】
また、記憶手段５５は、Ｒ（赤色）、Ｇ（緑色）、Ｂ（青色）の各カラーフィルタ用インク２のそれぞれの粘度の経時変化を示す検量線（図８参照）のテーブルデータや、各カラーフィルタ用インク２の製造日のデータ等を記憶する記憶媒体を有している。この記憶手段５５の記憶媒体としては、前記記憶手段５１と同様のものを用いることができる。
記憶手段５５に記憶された各種データは、記憶手段５５から読み出されて、無線通信手段５６により、制御手段１１２側の無線通信手段５３に送信され、その無線通信手段５３で受信される。そして、受信されたデータは、一旦、記憶手段５１に記憶され、必要時に読み出されて、セル１４に対して付与するインク量の調整に用いられる。
【００７６】
入力手段５７による各カラーフィルタ用インク２の製造日のデータの入力は、例えば、１次タンク１０１ａ内の赤色のカラーフィルタ用インク２が全て消費され、この１次タンク１０１ａを、赤色のカラーフィルタ用インク２が充填された、新たな１次タンク１０１ａに交換したときに行なわれる（緑色、青色のカラーフィルタ用インク２についても同様）。これにより、カラーフィルタ用インク２の製造日が更新され、この製造日から現在（当該カラーフィルタ用インク２をカラーフィルタ１の製造に用いる日）までの経過時間を求めることができる。この求められた経過時間と検量線とに基づいて、現在のカラーフィルタ用インク２の粘度を求める（推定する）ことができる。例えば、経過時間が３日の場合、図８に示す第２の検量線を用いたとすると当該検量線により、このときのカラーフィルタ用インク２の粘度は、８．７［ｍＰａ・ｓ］であると求められる。そして、この粘度に対応してピエゾ素子１２４Ｃに印加する駆動電圧を調整することにより、カラーフィルタ用インク２の吐出量が一定となるように調整することができる。また、カラーフィルタ用インク２の製造日に変化はなく、現在の日付が変わって経過時間が１日繰り上がった、すなわち、経過時間が４日になった場合、前記と同様に図８に示す第２の検量線により、このときのカラーフィルタ用インク２の粘度は、８．８７［ｍＰａ・ｓ］であると求められる。そして、前記と同様に、この粘度に対応してピエゾ素子１２４Ｃに印加する駆動電圧を調整して、カラーフィルタ用インク２の吐出量を調整する。
【００７７】
なお、入力手段５７としては、特に限定されず、例えば、１次タンク１０１ａに製造日に関するバーコードが付されている場合にはバーコードリーダを用いることができる。この他、１次タンク１０１ａに製造日に関するデータが記憶されたＩＣメモリ（ＩＣタグ）が設置されている場合には、１次タンク１０１ａを液滴吐出装置１００に装填するとＩＣメモリ内のデータを自動的に読み取る読取装置を用いることができ、また、１次タンク１０１ａに製造日が記入されたラベルが付されている場合には、その製造日を入力可能なキーボードを用いることができる。
【００７８】
前述したように、検量線は、カラーフィルタ用インク２の色毎にそれぞれ作成されている。これにより、色毎に所定の経過時間におけるカラーフィルタ用インク２の粘度を確実に求めることができる。よって、色毎に、カラーフィルタ用インク２の吐出量の精細な制御を行なうことができる。
また、図７に示すように、通信方式は、本実施形態では無線であるが、これに限らず、例えば、有線であってもよい。
【００７９】
さて、前述したように、カラーフィルタ用インク２は、その粘度が、時間の経過（カラーフィルタ用インク２が製造されてからどの程度時間が経過したか）や、温度変化等の諸条件により変化する。粘度変化が生じると、ノズル１１８から各セル１４に対して吐出される液滴の、吐出動作１回当りの吐出量（単位吐出量）が不安定化する（一定とならない）場合がある。そこで、この吐出量が一定となるように調整する（以下この調整を「吐出量調整」と言う）必要がある。
【００８０】
また、液滴吐出ヘッド１１４と、１次タンク１０１ａ（２次タンク１０１ｂについても同様）とでは、前提として、その周辺の温度（環境温度）が互いにほぼ同じもしくは温度同士が相関性を有すると考えることができる。従って、カラーフィルタ用インク２が１次タンク１０１ａから液滴吐出ヘッド１１４まで通過する過程での当該カラーフィルタ用インク２の粘度変化は、実質的にないとすることができる。液滴吐出装置１００では、制御手段１１２で推定された（求められた）カラーフィルタ用インク２の粘度を、カラーフィルタ用インク２が吐出される直前の液滴吐出ヘッド１１４でのカラーフィルタ用インク２の粘度と考えることができる。但し、長期間連続してカラーフィルタ用インク２の吐出を行なった場合、例えばピエゾ素子１２４Ｃが過剰に発熱して、液滴吐出ヘッド１１４の温度が上昇する、すなわち、１次タンク１０１ａ周辺の温度よりも高くなることがある。この場合、前記相関性が外れてしまう、すなわち、ヘッド温度と環境温度との乖離が比較的大きくなるため、カラーフィルタ用インク２の吐出量を補正するのが好ましい。この補正により、カラーフィルタ用インク２の吐出量がより正しい量（目標量）となり、吐出量の均一化を図ることができる。
【００８１】
液滴吐出装置１００（カラーフィルタ１の製造方法）では、この吐出量調整をインク付与工程で行なう。以下、吐出量調整を行なうための制御プログラムについて図９のフローチャートに基づいて説明する。本実施形態では、液滴吐出装置１００は、３色のカラーフィルタ用インク２毎に以下の制御を行なうよう構成されている。
また、液滴吐出装置１００は、前述したように室温（環境の温度範囲）が２０〜２６℃に設定されたチャンバー内に設置した状態で使用されるが、例えば、使用するカラーフィルタ用インク２に応じて、複数の室温の温度帯域（例えば、１４〜２０℃の温度帯域、２０〜２６℃の温度帯域、２７〜３２℃の温度帯域の３つの温度帯域）に設定することができるチャンバー内で使用されてもよい。この場合、検量線は、室温に応じて複数、例えば図８に示す構成では第１の検量線、第２の検量線、第３の検量線の３つの検量線で作成されている。第１の検量線は、１４〜２０℃の温度帯域に対応し、第２の検量線は、２０〜２６℃の温度帯域に対応し、第３の検量線は、２７〜３２℃の温度帯域に対応している。これにより、室温に応じて適した検量線を選択することができ、よって、カラーフィルタ用インク２の粘度を確実に求めることができる。これにより、カラーフィルタ用インク２の吐出量の精細な制御を行なうことができる。
【００８２】
まず、入力手段５７によりカラーフィルタ用インク２の製造日が入力されたら（ステップＳ５０１）、制御手段１１２に内蔵されているタイマが作動する（ステップＳ５０２）。このカラーフィルタ用インク２の製造日のデータは、一旦記憶手段５５に記憶され、そして、無線通信手段５３および５６の作動により、制御手段１１２側へ受信される。受信データは、記憶手段５１に記憶される。
【００８３】
前記タイマにより予め設定された所定時間を経過したと判断されたら（ステップＳ５０３）、制御手段１１２により現在の日付（日時）が入力される（ステップＳ５０４）。この現在の日付のデータは、記憶手段５１に記憶される。
次に、記憶手段５１に記憶されたカラーフィルタ用インク２の製造日のデータと、現在の日付のデータとの差を演算し、カラーフィルタ用インク２が製造されてから現在までの経過時間を求める（ステップＳ５０５）。
【００８４】
次に、温度センサ７で検出された（測定された）室温データを取得し（ステップＳ５０６）、その室温データに対応した検量線を選択する（ステップＳ５０７）。例えば、室温が２５℃である場合、図８中の第１〜第３の検量線のうち、第２の検量線を選択する。
次に、ステップＳ５０７において選択された検量線のテーブルデータを記憶手段５５から読み出し、ステップＳ５０５で得られた前記経過時間に対応する、当該カラーフィルタ用インク２の粘度を求める（ステップＳ５０８）。
【００８５】
次に、電圧調整部１１３を作動させ、ステップＳ５０８で求められた前記粘度（粘度推定結果）に対応する、ピエゾ素子１２４Ｃに印加する駆動電圧の大きさを調整する（ステップＳ５０９）。
次に、温度センサ４で検出された（測定された）液滴吐出ヘッド１１４のヘッド温度データを取得する（ステップＳ５１０）。このヘッド温度データ（ヘッド温度検出結果）は、一旦記憶手段５２に記憶されて、無線通信手段５４および５３の作動により、制御手段１１２側へ受信される。受信データは、記憶手段５１に記憶される（取得される）。
【００８６】
次いで、ステップＳ５１０で得られたヘッド温度とステップＳ５０６で得られた室温との乖離の度合いが許容範囲内か否かを判断する（ステップＳ５１１）。この判断基準としては、ヘッド温度をＴ１とし、室温をＴ２としたとき、｜Ｔ１−Ｔ２｜＞αを満足するか否かで判断する。ここで、｜Ｔ１−Ｔ２｜は、ヘッド温度Ｔ１の室温Ｔ２に対するズレ量であり、そのズレ量が予め設定された（記憶手段５１に記憶された）値αと同等またはそれより小さい場合に、ヘッド温度によるカラーフィルタ用インク２の吐出量への影響は実質的にない、すなわち、カラーフィルタ用インク２の吐出量に実質的な変化がないとみなす。また、前記ズレ量が値αよりも大きい場合に、カラーフィルタ用インク２の吐出量に変化が生じるとみなす。制御手段１１２では、前記式を満足すれば、ヘッド温度と室温との乖離の度合いが許容範囲から外れている判断し、前記式を満足しなければ、ヘッド温度と室温との乖離の度合いが許容範囲内にあると判断する。乖離の度合いが許容範囲から外れている場合には、駆動電圧を微調整する（補正する）必要があり、乖離の度合いが許容範囲内にある場合には、その補正を省略することができる。
【００８７】
ステップＳ５１１において、｜Ｔ１−Ｔ２｜を演算して、前記乖離の度合いが許容範囲から外れていると判断されたら、ステップＳ５０９に戻り、駆動電圧を調整（微調整）する。以後、それより下位のステップを順次実行する。また、ステップＳ５１１において温度が許容範囲内にあると判断されたら、ステップＳ５０１に戻り、以後、それより下位のステップを順次実行する。
【００８８】
そして、任意のタイミングで、ピエゾ素子１２４Ｃに前記調整された駆動電圧を印加する。
以上のような制御により、ノズル１１８から吐出されるカラーフィルタ用インク２の吐出量をそれぞれ一定となるように調整することができる、すなわち、吐出安定性（吐出量の均一性）に優れる。これにより、カラーフィルタ用インク２の粘度変化による当該インクの吐出量の誤差を少なくすることができる。よって、製造されるカラーフィルタ１において、各部位での色むら、濃度むら等が発生したり、個体間での特性のばらつきが発生したりするのを効果的に防止することができる。
【００８９】
なお、カラーフィルタ用インク２の粘度および吐出動作１回当りの吐出量からピエゾ素子１２４Ｃに印加する駆動電圧（電圧値）を求める検量線は、予め実験的に求められ、記憶手段５１に記憶されている。そして、制御手段１１２は、この検量線に基づき、カラーフィルタ用インク２の粘度に応じて、吐出動作１回当りの吐出量が目標量（一定量）となる駆動電圧を求めることができるようになっている。
【００９０】
また、これと同様に、ステップＳ５１１からＳ５０９に戻った際に微調整される駆動電圧を求める検量線は、予め実験的に求められ、記憶手段５１に記憶されている。そして、制御手段１１２は、この検量線に基づき好適な駆動電圧を求め、よって、液滴吐出ヘッド１１４のヘッド温度に応じて、前述した粘度推定結果に基づいて調整された（設定された）吐出量をさらに補正することができる。
【００９１】
また、これと同様に、液滴吐出ヘッド１１４のヘッド温度および吐出動作１回当りの吐出量からピエゾ素子１２４Ｃに印加する駆動電圧を求める検量線は、予め実験的に求められ、記憶手段５１に記憶されている。そして、制御手段１１２は、この検量線に基づき、液滴吐出ヘッド１１４のヘッド温度に応じて、吐出動作１回当りの吐出量が目標量となる駆動電圧を求めることができるようになっている。
【００９２】
また、値αについても、予め実験的に求められており、記憶手段５１に記憶されている。
また、ステップＳ５０９において、ピエゾ素子１２４Ｃに印加する駆動電圧を調整する方法としては、電圧値の大きさを変更する方法の他、例えば、印加電圧が交流電圧である場合には、その周波数、波形等を変更する方法が挙げられる。
【００９３】
また、前記制御は、いわゆるオープンループ制御となっているため、例えば、各色のカラーフィルタ用インク２の粘度をそれぞれ検出するようなフィードバック制御（クローズドループ制御）場合に比べて、液滴吐出装置１００から粘度検出手段を省略することができ、当該液滴吐出装置１００の構成を簡素化することができる。また、前記各色のカラーフィルタ用インク２の粘度をそれぞれ検出するステップも省略することができ、制御の簡素化にも寄与する。
また、ステップＳ５０１〜Ｓ５１１のうち、ステップＳ５１０、Ｓ５１１を、必要に応じて省略することができる。
【００９４】
《画像表示装置》
次に、カラーフィルタ１を有する画像表示装置（電気光学装置）である液晶表示装置の好適な実施形態について説明する。
図１０は、液晶表示装置の好適な実施形態を示す断面図である。同図に示すように、液晶表示装置６０は、カラーフィルタ１と、カラーフィルタ１の着色部１２が設けられた面側に配された基板（対向基板）６６と、カラーフィルタ１と基板６６との間の空隙に封入された液晶よりなる液晶層６２と、カラーフィルタ１の基板１１の液晶層６２に対向する面とは反対の面側（図１０中下側）に設けられた偏光板６７と、基板６６の液晶層６２に対向する面とは反対の面側（図１０中上側）に設けられた偏光板６８とを有している。そして、カラーフィルタ１の着色部１２および隔壁１３が設けられた面（着色部１２および隔壁１３の基板１１に対向する面とは反対の面）には、共通電極６１が設けられており、基板（対向基板）６６の液晶層６２、カラーフィルタ１に対向する面には、カラーフィルタ１の各着色部１２に対応する位置に、マトリクス状に、画素電極６５が配されている。さらに、共通電極６１と液晶層６２との間には配向膜６４が設けられ、基板６６（画素電極６５）と液晶層６２との間には配向膜６３が設けられている。
【００９５】
基板６６は、可視光に対して光透過性を有する基板であり、例えば、ガラス基板である。
共通電極６１、画素電極６５は、可視光に対して光透過性を有する材料で構成されたものであり、例えば、ＩＴＯ等で構成されている。
また、図中省略しているが、各画素電極６５に対応するように、複数のスイッチング素子（例えば、ＴＦＴ：薄膜トランジスタ）が設けられている。そして、各着色部１２に対応する各画素電極６５について、共通電極６１との間での電圧の印加状態を制御することにより、各着色部１２（各画素電極６５）に対応する領域での、光の透過性を制御することができる。
【００９６】
液晶表示装置６０では、図示しないバックライトから発せられた光が、偏光板６８側（図１０中上側）から入射するようになっている。そして、液晶層６２を透過し、カラーフィルタ１の各着色部１２（第１の着色部１２Ａ、第２の着色部１２Ｂ、第３の着色部１２Ｃ）に入射した光は、各着色部１２（第１の着色部１２Ａ、第２の着色部１２Ｂ、第３の着色部１２Ｃ）に対応する色の光として、偏光板６７（図１０中下側）から出射する。
着色部１２は、前述したカラーフィルタの製造方法により形成されたものであるため、各色間、各画素間での特性のばらつきが抑制されたものである。その結果、液晶表示装置６０において、各部位での色むら、濃度むら等が抑制された画像を安定的に表示することができる。
【００９７】
《電子機器》
前述したようなカラーフィルタ１を有する液晶表示装置（液晶パネル）等の画像表示装置（電気光学装置）１０００は、各種電子機器の表示部に用いることができる。
図１１は、本発明の電子機器を適用したモバイル型（またはノート型）のパーソナルコンピュータの構成を示す斜視図である。
【００９８】
この図において、パーソナルコンピュータ１１００は、キーボード１１０２を備えた本体部１１０４と、表示ユニット１１０６とにより構成され、表示ユニット１１０６は、本体部１１０４に対しヒンジ構造部を介して回動可能に支持されている。
このパーソナルコンピュータ１１００においては、表示ユニット１１０６が画像表示装置１０００を備えている。
【００９９】
図１２は、本発明の電子機器を適用した携帯電話機（ＰＨＳも含む）の構成を示す斜視図である。
この図において、携帯電話機１２００は、複数の操作ボタン１２０２、受話口１２０４および送話口１２０６とともに、画像表示装置１０００を表示部に備えている。
図１３は、本発明の電子機器を適用したディジタルスチルカメラの構成を示す斜視図である。なお、この図には、外部機器との接続についても簡易的に示されている。
【０１００】
ここで、通常のカメラは、被写体の光像により銀塩写真フィルムを感光するのに対し、ディジタルスチルカメラ１３００は、被写体の光像をＣＣＤ（Charge Coupled Device）などの撮像素子により光電変換して撮像信号（画像信号）を生成する。
ディジタルスチルカメラ１３００におけるケース（ボディー）１３０２の背面には、画像表示装置１０００が表示部に設けられ、ＣＣＤによる撮像信号に基づいて表示を行う構成になっており、被写体を電子画像として表示するファインダとして機能する。
【０１０１】
ケースの内部には、回路基板１３０８が設置されている。この回路基板１３０８は、撮像信号を格納（記憶）し得るメモリが設置されている。
また、ケース１３０２の正面側（図示の構成では裏面側）には、光学レンズ（撮像光学系）やＣＣＤなどを含む受光ユニット１３０４が設けられている。
撮影者が表示部に表示された被写体像を確認し、シャッタボタン１３０６を押下すると、その時点におけるＣＣＤの撮像信号が、回路基板１３０８のメモリに転送・格納される。
【０１０２】
また、このディジタルスチルカメラ１３００においては、ケース１３０２の側面に、ビデオ信号出力端子１３１２と、データ通信用の入出力端子１３１４とが設けられている。そして、図示のように、ビデオ信号出力端子１３１２にはテレビモニタ１４３０が、デ−タ通信用の入出力端子１３１４にはパーソナルコンピュータ１４４０が、それぞれ必要に応じて接続される。さらに、所定の操作により、回路基板１３０８のメモリに格納された撮像信号が、テレビモニタ１４３０や、パーソナルコンピュータ１４４０に出力される構成になっている。
【０１０３】
なお、本発明の電子機器は、上述したパーソナルコンピュータ（モバイル型パーソナルコンピュータ）、携帯電話機、ディジタルスチルカメラの他にも、例えば、テレビ（例えば、液晶テレビ）や、ビデオカメラ、ビューファインダ型、モニタ直視型のビデオテープレコーダ、ラップトップ型パーソナルコンピュータ、カーナビゲーション装置、ページャ、電子手帳（通信機能付も含む）、電子辞書、電卓、電子ゲーム機器、ワードプロセッサ、ワークステーション、テレビ電話、防犯用テレビモニタ、電子双眼鏡、ＰＯＳ端末、タッチパネルを備えた機器（例えば金融機関のキャッシュディスペンサー、自動券売機）、医療機器（例えば電子体温計、血圧計、血糖計、心電表示装置、超音波診断装置、内視鏡用表示装置）、魚群探知機、各種測定機器、計器類（例えば、車両、航空機、船舶の計器類）、フライトシュミレータ、その他各種モニタ類、プロジェクター等の投射型表示装置等に適用することができる。中でも、テレビは、近年の表示部の大型化の傾向が顕著であるが、このような大型の表示部（例えば、対角線長８０ｃｍ以上の表示部）を有する電子機器では、従来の製造方法により製造される（例えば、従来のカラーフィルタ用インクを用いて製造される）カラーフィルタを適用した場合、色むら、濃度むら等の問題を特に生じやすかったが、本発明を適用すれば、このような問題の発生を確実に防止することができる。すなわち、上記のような大型の表示部を有する電子機器に適用した場合に、本発明の効果は、より顕著に発揮される。
【０１０４】
以上、本発明の液滴吐出装置、カラーフィルタの製造方法、カラーフィルタ、画像表示装置および電子機器を図示の実施形態について説明したが、本発明は、これに限定されるものではない。また、液滴吐出装置、カラーフィルタ、画像表示装置および電子機器を構成する各部は、同様の機能を発揮し得る任意の構成のものと置換することができる。また、任意の構成物が付加されていてもよい。
【０１０５】
また、カラーフィルタでは、同色の着色部間でその総供給量が同じであればよく、異なる色の着色部間では、総供給量が同じであってもよいし、異なっていてもよい。
また、１次タンク内のカラーフィルタ用インクが全て消費されて、新たなカラーフィルタ用インクを用いる場合、この空となった１次タンクをカラーフィルタ用インクが予め充填された新たな１次タンクに交換していたが、これに限定されず、例えば、空となった１次タンク内に新たなカラーフィルタ用インクを再充填してもよい。
【０１０６】
また、カラーフィルタ用インクの粘度を求める際の経過時間は、本実施形態ではカラーフィルタ用インクの製造日を基準時として経過時間を求めたが、これに限定されず、例えば、カラーフィルタ用インクの製造日に関連した時間（製造日に所定の日数を加えた時間）を基準時として経過時間を求めてもよい。このような時間としては、例えば、カラーフィルタ用インクが密閉状態で貯留されている１次タンクを開封して液滴吐出装置に装填したときとすることができる。
【図面の簡単な説明】
【０１０７】
【図１】本発明のカラーフィルタの好適な実施形態を示す断面図である。
【図２】カラーフィルタの製造方法を示す断面図である。
【図３】カラーフィルタの製造に用いる本発明の液滴吐出装置を示す斜視図である。
【図４】図３に示す液滴吐出装置における液滴吐出手段をステージ側から観察した図である。
【図５】図３に示す液滴吐出装置における液滴吐出ヘッドの底面を示す図である。
【図６】図３に示す液滴吐出装置における液滴吐出ヘッドを示す図（（ａ）は断面斜視図、（ｂ）は断面図）である。
【図７】カラーフィルタの製造に用いる液滴吐出装置の主要部を示すブロック図である。
【図８】インクの粘度の経時変化の一例を示す検量線である。
【図９】図３に示す液滴吐出装置における制御手段の制御プログラムを示すフローチャートである。
【図１０】液晶表示装置の好適な実施形態を示す断面図である。
【図１１】本発明の電子機器を適用したモバイル型（またはノート型）のパーソナルコンピュータの構成を示す斜視図である。
【図１２】本発明の電子機器を適用した携帯電話機（ＰＨＳも含む）の構成を示す斜視図である。
【図１３】本発明の電子機器を適用したディジタルスチルカメラの構成を示す斜視図である。
【符号の説明】
【０１０８】
１…カラーフィルタ  １１…基板  １２…着色部  １２Ａ…第１の着色部  １２Ｂ…第２の着色部  １３…隔壁  １２Ｃ…第３の着色部  １４…セル  ２…カラーフィルタ用インク  ３…塗膜  ４…温度センサ（ヘッド温度検出手段）  ５１、５２、５５…記憶手段  ５３、５４、５６…無線通信手段  ５７…入力手段  ６０…液晶表示装置  ６１…共通電極  ６２…液晶層  ６３、６４…配向膜  ６５…画素電極  ６６…基板（対向基板）  ６７、６８…偏光板  ７…温度センサ（環境温度検出手段）  １００…液滴吐出装置  １０１ａ…１次タンク（インク貯留部）  １０１ｂ…２次タンク（インク貯留部）  １０２…吐出走査部  １０３…液滴吐出手段  １０４…第１位置制御装置  １０５…キャリッジ  １０６…ステージ  １０８…第２位置制御装置  １１０ａ、１１０ｂ…チューブ  １１２…制御手段（粘度推定手段、インク吐出量調整手段）  １１３…電圧調整部  １１４…液滴吐出ヘッド（インクジェットヘッド）  １１６Ａ、１１６Ｂ…ノズル列  １１８…ノズル  １２０…キャビティ  １２２…隔壁  １２４…振動子  １２４Ａ、１２４Ｂ…電極  １２４Ｃ…ピエゾ素子  １２６…振動板  １２７…吐出部  １２８…ノズルプレート  １２９…液たまり  １３０…供給口  １３１……孔  １０００…画像表示装置  １１００…パーソナルコンピュータ  １１０２…キーボード  １１０４…本体部  １１０６…表示ユニット  １２００…携帯電話機  １２０２…操作ボタン  １２０４…受話口  １２０６…送話口  １３００…ディジタルスチルカメラ  １３０２…ケース（ボディー）  １３０４…受光ユニット  １３０６…シャッタボタン  １３０８…回路基板  １３１２…ビデオ信号出力端子  １３１４…データ通信用の入出力端子  １４３０…テレビモニタ  １４４０…パーソナルコンピュータ  Ｔ１…ヘッド温度  Ｔ２…室温  α…値  Ｓ５０１〜Ｓ５１１…ステップ
【図１】
2009128833.tif 000003
【図２】
2009128833.tif 000004
【図３】
2009128833.tif 000005
【図４】
2009128833.tif 000006
【図５】
2009128833.tif 000007
【図６】
2009128833.tif 000008
【図７】
2009128833.tif 000009
【図８】
2009128833.tif 000010
【図９】
2009128833.tif 000011
【図１０】
2009128833.tif 000012
【図１１】
2009128833.tif 000013
【図１２】
2009128833.tif 000014
【図１３】
2009128833.tif 000015